(57)【要約】【課題】本発明は、反対面方向に対して不可視とする遮光および目視可能とする透光を異方向で定められる異方向性透光シートに関し、認識対象の表記体に何ら施すことなく、当該表記体の所定の同一部分で不可視状態と可視状態とを両立可能とすることを目的とする。【解決手段】反対面方向が不可視状態とされる不透光のシート基材１２の所定領域に、例えば４５度の斜め角度で形成される所定数の孔１３で構成される穿孔部を設ける構成とする。【選択図】  図１
2004295020.tif 000002
【特許請求の範囲】
【請求項１】
反対面方向が不可視状態とされる不透光のシート基材と、
前記シート基材の所定領域に、所定の斜め角度で所定数の孔が形成された穿孔部と、を有することを特徴とする異方向性透光シート。
【請求項２】
請求項１記載の異方向性透光シートであって、前記穿孔部の所定数の孔は、前記シート基材に対して前記斜め角度でレーザ光が照射されて形成されることを特徴とする異方向性透光シート。
【請求項３】
請求項１または記載の異方向性透光シートであって、前記シート基材の一方面の所定領域に、剥離自在な一時接着性の接着剤層が設けられることを特徴とする異方向性透光シート。
【請求項４】
請求項１〜３の少なくとも何れかに記載の異方向性透光シートであって、前記シート基材の一方面の所定部分に、前記穿孔部を介して反対面を目視可能とする視認方向と関連した情報が表記されることを特徴とする異方向性透光シート。
【発明の詳細な説明】
【０００１】
【発明の属する技術分野】
本発明は、反対面方向に対して不可視とする遮光および目視可能とする透光を異方向で定められる異方向性透光シートに関する。
【０００２】
【従来の技術】
従来より、例えばノートや本に表示された文字に所定色でマーキングを行い、半透明のプラスチックシートを覆うことでマーキング部分を認識不可状態とすることにより学習者に暗記を促すための、例えばチェックペンおよびチェックシートと称される暗記用学習具が知られている。このような暗記用学習具に関して以下の特許文献等が知られている。
【０００３】
【特許文献１】
特公昭５７−３７８７１号公報
【特許文献２】
実開平７−２９５５８号公報
【０００４】
上記の特許文献に記載されている暗記用学習具は、ノートや本等の表記体に表示された所定の文字に所定色（例えばマゼンタ）のマーキングペンでマーキングを行い、当該マーキング色と補色の関係にある色（マゼンタに対してグリーン）で着色された半透明のプラスチックシートを覆うことにより、当該マーキングされた文字部分だけが黒くなって文字認識することをできなくするというものである。
【０００５】
【発明が解決しようとする課題】
しかしながら、表記体の所定部分（例えば文字部分）を認識不可状態とさせる場合には、対応色のマーキングペンでマーキングする必要があり、一方、一度マーキングした部分を消すことができないか、若しくは消すことができるものであっても特別の消去用インキでなぞるという行為を行わなければならない。また、マーキングの色によって、当該補色関係のシートを専用として用意しなければならず、大きさも含めてそれぞれに対応させることが困難であるという問題がある。
【０００６】
そこで、本発明は上記課題に鑑みなされたもので、認識対象の表記体に何ら施すことなく、当該表記体の所定の同一部分で不可視状態と可視状態とを両立可能とする異方向性透光シートを提供することを目的とする。
【０００７】
【課題を解決するための手段】
上記課題を解決するために、請求項１の発明では、反対面方向が不可視状態とされる不透光のシート基材と、前記シート基材の所定領域に、所定の斜め角度で所定数の孔が形成された穿孔部と、を有する構成とする。
【０００８】
請求項２〜４の発明では、
「前記穿孔部の所定数の孔は、前記シート基材に対して前記斜め角度でレーザ光が照射されて形成される」構成であり、
「前記シート基材の一方面の所定領域に、剥離自在な一時接着性の接着剤層が設けられる」構成であり、
「前記シート基材の一方面の所定部分に、前記穿孔部を介して反対面を目視可能とする視認方向関連した情報が表記される」構成である。
【０００９】
このように、反対面方向が不可視状態とされる不透光のシート基材の所定領域に、所定の斜め角度で所定数の孔が形成された穿孔部を設ける。すなわち、シート基材には斜め角度で孔が所定数形成されていることから、当該シートの垂直方向からは反対面が不可視状態であり、当該孔の形成角度からのみ反対面を可視状態となるもので、認識対象の表記体に何ら施すことなく、当該表記体の所定の同一部分で不可視状態と可視状態とを両立させることが可能となるものである。
【００１０】
【発明の実施の形態】
以下、本発明の好ましい実施形態を図により説明する。
図１に、本発明の第１実施形態に係る異方向性透光シートの構成図を示す。図１（Ａ）は部分平面図、図１（Ｂ）は部分拡大断面図である。図１（Ａ）、（Ｂ）において、異方向性透光シート１１は、シート基材１２の所定領域に、例えば平面に対して斜め４５度の角度で透光孔１３Ａが所定数形成された穿孔部１３が設けられたものである。
【００１１】
上記シート基材１２は、反対面方向が不可視状態とされるもので、紙材、プラスチック、金属等が採用される。なお、プラスチックを採用する場合には、構成主材に不可視状態とさせる色材を混入させたシートや、透明または半透明のプラスチックシートの少なくとも一方面に不可視状態とさせる色材を塗布させたものが使用される。また、紙材のように柔軟なものの場合には、形成した透光孔１３Ａがつぶれないような厚さのものが使用される。
【００１２】
上記穿孔部１３は、例えばシート基材１２に対してその形成領域内で直径０．３ｍｍの透光孔１３Ａを０．５ｍｍピッチで形成される。また、形成される透光孔１３Ａの角度は、当該異方向性透光シート１１の平面上の垂直方向より見たときに、当該透光孔１３Ａ自体の空間を通して反対面が可視できない角度であって、隣接の透光孔１３Ａの距離との関係で適宜設定されるものである。
【００１３】
ここで、図２に、図１の異方向性透光シートを形成するための説明図を示す。図２（Ａ）、（Ｂ）において、上記穿孔部１３を構成する透光孔１３Ａは、例えば斜め４５度で形成する場合に、レーザ照射手段２１により照射されるレーザ光２２を斜め４５度の角度でシート基材１２に照射することで形成される。レーザ照射手段２１は、図ではノズルのみで表示して全体を図示しないが、従前より知られているようにレーザ発振部、スキャン駆動手段（例えばガルバノ機構）を備えたもので、当該レーザ発振部は例えば既存のレーザ発生の機構によりＣＯ２レーザ、ＹＡＧレーザ、ＵＶレーザ等の穿孔径により適宜選択されたレーザ光を発生させるものである。
【００１４】
このように、透光孔１３Ａをレーザ照射手段２１によるレーザ光で形成することから、上記のように直径０．３ｍｍの透光孔１３Ａを０．５ｍｍピッチで形成することができるものである。なお、図では、透光孔１３Ａを、孔断面を円形状として形成した場合を示したが、楕円形状や四角形状、三角形状等のように適宜設定することができるものであり、またライン形状で設定することもできるものである。
【００１５】
そこで、図３に、図１の異方向性透光シートによる視認状態の説明図を示す。
図３（Ａ）において、例えば用紙の表記体３１に、所定文字が形成された表示部３２（例えば「ＡＢＣＤＥＦＧＨＩＪＫ」）が表示されているものとする。図３（Ｂ）に示すように、この表示部３２の一部分（例えば「ＡＢＣＤＥ」）に異方向性透光シート１１を重ね状態で位置させる。
【００１６】
このときに、図３（Ｃ）に示すように、当該異方向性透光シート１１の平面上の垂直方向からは、重ねた部分（「ＡＢＣＤＥ」）は不可視状態となる（図３（Ｂ））。そこで、見る角度を透光孔１３Ａが形成された角度（４５度）とすると、当該透光孔１３Ａによる透過、反射により表示部３２の不可視状態となった部分（「ＡＢＣＤＥ」）が可視状態となり、認識可能となるものである。
【００１７】
このように、シート基材１２には斜め角度で透光孔１３Ａが所定数形成されていることから、異方向性透光シート１１の垂直方向からは重ねられた部分で反対面に位置された表記体２１の表示部３２が不可視状態であり、当該透光孔１３Ａの形成角度では上記不可視状態の部分が可視状態となる。これによって、認識対象の表記体３１に何ら施すことなく、当該表記体３１の異方向性透光シート１１が重ねられた部分の同一部分で不可視状態と可視状態とを両立させることができるものである。
【００１８】
ところで、上記実施形態では、穿孔部１３を構成する透光孔１３Ａの配列を規則的にした場合を示したが、千鳥状等の形状で形成することもでき、またランダムに配列してもよく、適宜所望の配列で形成できるもので、当該透光孔１３Ａの形成密度を高くすることでより鮮明に可視状態とすることができるものである（図では説明上、粗く示してある）。このことは、透光孔１３Ａの形成をレーザ光２２の照射によって行うことから容易に配列、密度を設定して形成することができるものである。また、上記実施形態では、枚葉の異方向性透光シート１１とした場合を示したが、所定長のロール状としてもよく、使用時に適宜切断して使用させることもできるものである。これらのことは、以下の実施形態においても同様である。
【００１９】
次に、図４に、本発明の第２実施形態に係る異方向性透光シートの構成図を示す。図４（Ａ）、（Ｂ）において、シート基材１２に透光孔１３Ａが所定数形成された穿孔部１３が設けられた異方向性透光シート１１の一方面（例えば図３（Ｂ）で使用される異方向性透光シート１１の裏面）１１Ａの所定部分に、剥離自在な一時接着性の接着剤層４１が設けられたものである。この接着剤層４１は、例えば感圧接着剤が採用される。この感圧接着剤は、従前より知られているもので十分であり、例えば天然ゴムラテックス等の非剥離性接着剤基剤に、シリカ、コーン等の微粒状充てん剤が充てんされたものである。
【００２０】
このような異方向性透光シート１１は、図４（Ｃ）に示すように、表記体３１の表示部３２に表示された部分のうち、一部分（例えば「ＡＢＣＤＥ」）に異方向性透光シート１１を重ね状態で接着剤層４１により一時接着させることで固定させるものである。
【００２１】
すなわち、上記接着剤層４１で固定させて使用させることができると共に、可視状態とさせる方向を自由に定めて貼付させることができるものである。この場合、当該接着剤層４１は、剥離自在な一時接着性の接着剤であることから、剥離時に表記体３１に接着剤が残存することはない。なお、図４では、異方向性透光シート１１の一方面の一部分に接着剤層４１を設けた場合を示したが、穿孔部１３以外の全領域に設けてもよく、また穿孔部１３を含めた前面に設けてもよい。
当該接着剤層４１は基本的に薄く塗布されるもので、仮に透光孔１３Ａを塞いで形成しても透光に関しては影響はないものである。
【００２２】
次に、図５に、本発明の第３実施形態に係る異方向性透光シートの構成図を示す。図５（Ａ）、（Ｂ）において、上記に示したような異方向性透光シート１１（１１−１，１１−２）の一方面の所定部分に、穿孔部１３を介して反対面を目視可能とする視認方向と関連した情報を表記させたものである。当該情報は、目視可能とする視認方向と関連すれば何れの表記であってもよく、例えば図に示すように目視可能とする視認方向を視認情報として矢印５１，５２で表記するものである。
【００２３】
すなわち、図５（Ａ）に示すように異方向性透光シート１１−１に矢印５１が表記されている場合には、断面面上、左上斜めより見ることによって反対面側が視認可能であり、図５（Ｂ）示すように異方向性透光シート１１−２に矢印５２が表記されている場合には、図面上、手前上斜めより見ることによって反対面側が視認可能であることを示している。
【００２４】
従って、図５（Ｃ）に示すように、表記体３１の表示部３２に表示された部分（「Ａ〜Ｐ」）のうち、一部分（例えば「ＡＢＣＤＥ」）に異方向性透光シート１１−１を重ね、他の部分（例えば「ＪＫＬＭＮＯ」）に異方向性透光シート１１−２を重ねた場合、異方向性透光シート１１−１では矢印５１に従うことで当該一部分（「ＡＢＣＤＥ」）が可視状態となって認識可能となり、異方向性透光シート１１−２では矢印５２に従うことで当該他の部分（「ＪＫＬＭＮＯ」）が可視状態となって認識可能となるものである。もちろん、単一で使用されることであってもよいのは当然である。
【００２５】
このように、目視可能とする視認方向と関連した情報を表記させることにより、使用者の利便性を向上させることができるものである。
【００２６】
【発明の効果】
以上のように、本発明によれば、反対面方向が不可視状態とされる不透光のシート基材の所定領域に、所定の斜め角度で所定数の孔が形成された穿孔部を設けることにより、認識対象の表記体に何ら施すことなく、当該表記体の所定の同一部分で不可視状態と可視状態とを両立させることができるものである。
【図面の簡単な説明】
【図１】本発明の第１実施形態に係る異方向性透光シートの構成図である。
【図２】図１の異方向性透光シートを形成するための説明図である。
【図３】図１の異方向性透光シートによる視認状態の説明図である。
【図４】本発明の第２実施形態に係る異方向性透光シートの構成図である。
【図５】本発明の第３実施形態に係る異方向性透光シートの構成図である。
【符号の説明】
１１            異方向性透光シート
１２            シート基材
１３            穿孔部
１３Ａ          透光孔
２１            レーザ照射手段
２２            レーザ光
３１            表記体
３２            表示部
４１            接着剤層
５１，５２      視認情報
【図１】
2004295020.tif 000003
【図２】
2004295020.tif 000004
【図３】
2004295020.tif 000005
【図４】
2004295020.tif 000006
【図５】
2004295020.tif 000007